(57)【特許請求の範囲】
【請求項１】
本体回路部とフレキシブル基板を介して接続されるサブ回路部の２つの回路ブロックから構成される機器において、
前記２つの回路ブロック間で接続されるリセットおよび／またはチップセレクト信号線にコンデンサの一端を接続し、該コンデンサの他端をダイオードのカソード側に接続し、該ダイオードのアノード側を前記サブ回路部のＧＮＤに接続し、該ダイオードのカソード側に抵抗の一端を接続し、該抵抗の他端を本体回路部のＧＮＤに接続する
ことを特徴とするＥＳＤ対策用信号線レベル保持回路。
【請求項２】
本体回路部とフレキシブル基板を介して接続される表示部の２つの回路ブロックから構成される折り畳み型携帯機器であって、
前記本体回路部と表示部の２つの回路ブロック間で接続されるリセットおよび／またはチップセレクト信号線にコンデンサの一端を接続し、該コンデンサの他端をダイオードのカソード側に接続し、該ダイオードのアノード側を前記サブ回路部のＧＮＤに接続し、該ダイオードのカソード側に抵抗の一端を接続し、該抵抗の他端を本体回路部のＧＮＤに接続した
ことを特徴とする折り畳み型携帯機器。
【発明の詳細な説明】
【０００１】
【発明の属する技術分野】
本発明は、ＥＳＤ（Ｅｌｅｃｔｒｏｓｔａｔｉｃ  Ｄｉｓｃｈａｒｇｅ：静電荷放電）対策用の回路技術に関する。
【０００２】
【従来の技術】
折り畳み型の携帯電話機等の携帯機器は、ＬＣＤ（Ｌｉｑｕｉｄ  Ｃｒｙｓｔａｌ  Ｄｉｓｐｌａｙ）表示部と本体回路部の２つのブロックに別れ、これらは通常フレキシブル基板により接続されている（図２参照）。こうした折り畳み型の携帯機器では、ＥＳＤに対し、通常ＬＣＤ表示部にはフレームＧＮＤとロジックＧＮＤの両方を設け、ＥＳＤ電流をフレームＧＮＤに流す対策をとっている。しかしながら、フレームＧＮＤとロジックＧＮＤ間の容量結合とフレキシブル基板の抵抗から、正電荷の放電を受けると、本体回路部ＧＮＤ電位に対してＬＣＤ表示部のロジックＧＮＤ電位が上昇する。一方信号線電位は本体回路部ＧＮＤ電位を基準としたレベルをもつため、ロジックＧＮＤ電位が上昇するとＬＣＤ表示部の信号線電位はこのロジックＧＮＤ電位に近づき、“Ｈ”（ハイ・レベル）の信号が“Ｌ”（ロー・レベル）と誤って検出される。こうして、誤ったリセットまたはチップセレクト信号により、ＬＣＤ表示部が誤動作を起こす。
【０００３】
したがって、本体回路部ＧＮＤに対するＬＣＤ表示部のロジックＧＮＤの電位上昇を少なくするため、これらを接続するフレキシブル基板のＧＮＤ部分の抵抗を下げる必要がある。一般的にはフレキシブル基板を２層（２重：片面をＧＮＤ）にしたり、別な銅箔を貼り付けたり導電塗装を行っている。
【０００４】
【発明が解決しようとする課題】
しかしこれらの対策は、フレキシブル基板が使用される部分が可動部であり、さらにこのフレキシブル基板が通常この可動部で一回転捻られているため耐久性に問題があり（屈曲試験に耐えられない）、信頼性の確保が難しく、また可動部であることから接続作業の困難性を伴うとともに、コストの上昇を招いていた。
【０００５】
本発明は、上記の点に鑑みてなされたもので、折り畳み型携帯電話機のように、２つの回路ブロック間で信号が送受信される機器において、簡単な回路構成で、ＥＳＤによる誤ったリセットや誤データ書き込みを防ぐことができる信号線レベル保持回路を提供するものである。
【０００６】
【課題を解決するための手段】
本発明のＥＳＤ対策用信号線レベル保持回路は、折り畳み型携帯電話機のように、本体回路部とフレキシブル基板を介して接続されるサブ回路部の２つの回路ブロックから構成される機器において、前記２つの回路ブロック間で接続されるリセットおよび／またはチップセレクト信号線にコンデンサの一端を接続し、該コンデンサの他端をダイオードのカソード側に接続し、該ダイオードのアノード側を前記サブ回路部のＧＮＤに接続し、該ダイオードのカソード側に抵抗の一端を接続し、該抵抗の他端を本体回路部のＧＮＤに接続することを特徴とする。
【０００７】
本発明は、本体回路部とフレキシブル基板を介して接続される表示部の２つの回路ブロックから構成される折り畳み型携帯機器であって、前記本体回路部と表示部の２つの回路ブロック間で接続されるリセットおよび／またはチップセレクト信号線にコンデンサの一端を接続し、該コンデンサの他端をダイオードのカソード側に接続し、該ダイオードのアノード側を前記サブ回路部のＧＮＤに接続し、該ダイオードのカソード側に抵抗の一端を接続し、該抵抗の他端を本体回路部のＧＮＤに接続したことを特徴とする。
【０００８】
【発明の実施の形態】
以下、本発明の実施の形態を、図面を参照して説明する。
図１は、本発明の実施の形態であるＥＳＤ対策用信号線レベル保持回路の回路図である。以下では、サブ回路部としてのＬＣＤ表示部と、本体回路部と、フレキシブル基板からなる折り畳み型携帯電話機（図２参照）に、本発明のＥＳＤ対策用信号線レベル保持回路を組み込んだ形態を説明する。
【０００９】
図１において、符号１は、本体回路部のバッファ回路であり、本体回路部からＬＣＤ表示部へ、リセット信号あるいはチップセレクト信号を出力する。
符号２は、バッファ回路１から出力されるリセット信号あるいはチップセレクト信号を受けるＬＣＤ表示部側のバッファ回路である。
符号３はコンデンサであり、符号４はダイオードであり、符号５は抵抗である。このコンデンサ３の一端は、上記リセット信号あるいはチップセレクト信号が流れる信号線に接続される。また、このコンデンサ３の他端は、ダイオード４のカソード側に接続され、ダイオード４のアノード側は、ＬＣＤ表示部のロジックＧＮＤに接続される。また、ダイオード４のカソード側には、抵抗５の一端が接続されその他端が本体回路部ＧＮＤに接続されている。
なお、ダイオード６ａ，６ｂは、ロジックＧＮＤ電位が降下した場合の対策用として従来から設けられていたものである。
【００１０】
このように構成された信号線レベル保持回路は、下記のように動作する。
【００１１】
ＥＳＤによる正電荷の放電がＬＣＤ表示部にあった場合で、さらに、前述のフレームＧＮＤで吸収できないロジックＧＮＤの電位上昇が発生した場合、ダイオード４は“ＯＮ”状態となる。ダイオード４が“ＯＮ”状態となると、抵抗５を経由して電位上昇したＬＣＤ回路部のロジックＧＮＤから本体回路部ＧＮＤに電流が流れ、本体回路部ＧＮＤとＬＣＤ表示部のロジックＧＮＤ間の電位差を抑える。同時にＬＣＤ表示部のロジックＧＮＤの電位上昇はコンデンサ３を通して信号線電位を上昇させる。
こうしてＬＣＤ表示部の信号線レベルは保持され、誤って“Ｌ”（ロー・レベル）を検出することなく誤動作に至らない。
【００１２】
以上、この発明の実施形態を、図面を参照して詳述してきたが、具体的な構成はこの実施形態に限られるものではなく、この発明の要旨を逸脱しない範囲の構成等も含まれる。例えば、抵抗５は、ＬＣＤ表示部側にあっても、フレキシブル基板の信号線上にあっても、本体回路部側にあってもよい。また、本発明は、折り畳み型携帯電話機等の携帯機器以外でも、２つの回路ブロックから構成される様々な機器に対し適用可能であることは明らかである。
【００１３】
【発明の効果】
以上、詳細に説明したように、本発明によれば、折り畳み型携帯電話機のように、本体回路部とフレキシブル基板を介して接続されるサブ回路部の２つの回路ブロックから構成される機器において、これら２つの回路ブロック間で接続されるリセットおよび／またはチップセレクト信号線の電位レベルを正規レベルの範囲に保持することができ、誤ったリセットや誤データ書き込みを防ぐことができる。また、従来のフレキシブル基板の２層（２重）化や銅箔の貼り付けによる対策では、信頼性の問題や作業の困難性、さらにはコストアップを招いていたが、本発明によれば、フレキシブル基板は、１層（１重）でよく、また簡単な回路追加によりＥＳＤ対策として同様な効果を上げることができる。
【図面の簡単な説明】
【図１】  本発明のＥＳＤ対策用信号線レベル保持回路の回路図である。
【図２】  一般的な折り畳み型携帯電話機の構成（概要）を示すブロック図である。
【符号の説明】
１，２…バッファ回路
３…コンデンサ
４，６ａ，６ｂ…ダイオード
５…抵抗
７…電源ライン
【図１】
0004364462.tif 000002
【図２】
0004364462.tif 000003